(57)【要約】【課題】タイミングコントローラとこれを具備する表示装置及び制御方法を提供する。【解決手段】タイミングコントローラは、外部から入力される同期信号に基づいてソースドライバ及びゲートドライバをそれぞれ制御するためのソースドライバ制御信号及びゲートドライバ制御信号を生成するタイミング発生器である。前記同期信号に基づいてフレームカウンタを動作させるフレームカウンタ部、前記フレームカウンタの出力に基づいて前記ゲートドライバ制御信号を制御して、液晶表示装置の電源印加後、所定の時間だけ、前記ゲートドライバの出力をディセイブルさせる初期動作制御部を含む。従って、液晶表示装置の初期駆動時に一定のフレームが経過した後、ゲートドライバの出力がイネイブルされ、その後に画面の正常的な表示動作が行われるので、別の外部制御信号がなくても表示装置の初期駆動時に発生する画面歪曲現象を安定的に除去することができる。【選択図】図２
2007011334.tif 000002
【特許請求の範囲】
【請求項１】
外部から入力される同期信号に基づいてソースドライバ及びゲートドライバをそれぞれ制御するためのソースドライバ制御信号及びゲートドライバ制御信号を生成するタイミング発生器と、
前記同期信号に基づいてフレームカウンタを動作させるフレームカウンタ部と、
前記フレームカウンタの出力に基づいて前記ゲートドライバ制御信号を制御して、液晶表示装置の電源印加後、所定の時間の間、前記ゲートドライバの出力をディセイブルさせる初期動作制御部と、を含むことを特徴とするタイミングコントローラ。
【請求項２】
前記所定の時間は、約２フレームであることを特徴とする請求項１記載のタイミングコントローラ。
【請求項３】
前記所定の時間は、ユーザによって設定可能であることを特徴とする請求項１記載のタイミングコントローラ。
【請求項４】
前記外部から入力される同期信号は、垂直同期信号、水平同期信号、データイネイブル信号、及び／又はマスタクロック信号を含むことを特徴とする請求項１記載のタイミングコントローラ。
【請求項５】
前記フレームカウンタ部は、前記外部から入力されるデータイネイブル信号に基づいて内部垂直同期信号を生成することを特徴とする請求項４記載のタイミングコントローラ。
【請求項６】
前記内部垂直同期信号は、前記データイネイブル信号のローレベル区間で一定時間の間入力信号がない場合に生成されることを特徴とする請求項５記載のタイミングコントローラ。
【請求項７】
前記フレームカウンタ部は、前記生成された内部垂直同期信号に基づいて前記フレームカウンタを動作させることを特徴とする請求項５記載のタイミングコントローラ。
【請求項８】
前記フレームカウンタは、前記入力されるデータイネイブル信号が不安定である時には動作しないことを特徴とする請求項７記載のタイミングコントローラ。
【請求項９】
前記ソースドライバ制御信号は、水平スタートパルス、データラッチ信号及び／又は極性制御信号を含み、前記ソースドライバ制御信号は前記初期動作制御部の制御信号によって前記ソースドライバに出力されることを特徴とする請求項１記載のタイミングコントローラ。
【請求項１０】
前記ゲートドライバ制御信号は、垂直スタートパルス及び／又は垂直クロック信号を含むことを特徴とする請求項１記載のタイミングコントローラ。
【請求項１１】
前記ゲートドライバ制御信号は、前記ゲートドライバの出力を制御するゲートドライバ出力イネイブル信号を含むことを特徴とする請求項１記載のタイミングコントローラ。
【請求項１２】
前記初期動作制御部は、前記所定時間の間、前記ゲートドライバ出力イネイブル信号をディセイブルさせることを特徴とする請求項１１記載のタイミングコントローラ。
【請求項１３】
前記初期動作制御部から提供される出力許可信号に応答して、前記タイミング発生器によって生成されたソースドライバ制御信号及びゲートドライバ制御信号をそれぞれ出力する制御信号出力部を更に含むことを特徴とする請求項１記載のタイミングコントローラ。
【請求項１４】
前記制御信号出力部は、前記初期動作制御部から印加される出力許可信号のうちのいずれか一つ、及び前記生成されたソースドライバ制御信号とゲートドライバ制御信号のうちのいずれか一つの入力を受けて、ＡＮＤ演算を行う多数のＡＮＤゲートを含むことを特徴とする請求項１３記載のタイミングコントローラ。
【請求項１５】
外部から入力されるＲＧＢデータの入力を受け、前記ソースドライバによって読み込まれるデータフォーマットに変換させるデータ処理部と、
前記初期動作制御部の制御によって、前記データ処理部により変換されたＲＧＢデータを前記ソースドライバに出力するデータ出力部と、を更に含むことを特徴とする請求項１記載のタイミングコントローラ。
【請求項１６】
前記初期動作制御部は、前記ゲートドライバがイネイブルされて第２時間が経過した後、前記データ出力部が前記変換されたＲＧＢデータを前記ソースドライバに出力するように前記データ出力部を制御することを特徴とする請求項１５記載のタイミングコントローラ。
【請求項１７】
前記第２時間は、約１フレームであることを特徴とする請求項１６記載のタイミングコントローラ。
【請求項１８】
前記データ出力部は、入力端に、前記データ処理部によって変換されたＲＧＢデータと、ブラックデータの表示のためのローレベルデータとの入力を受け、選択端に前記初期動作制御部から印加される選択信号の入力を受けるマルチプレクサを含むことを特徴とする請求項１５記載のタイミングコントローラ。
【請求項１９】
多数のゲートライン、多数のデータライン、及び前記ゲートラインとデータラインによって定義される領域に形成された多数の画素を具備する表示パネルと、
前記多数のゲートラインを順次に走査するための駆動信号を印加するゲートドライバと、
前記多数のデータラインに画像表示のための信号を印加するソースドライバと、
外部から入力される同期信号に基づいてフレームカウンタを動作させると共に、前記ゲートドライバを制御して、前記ゲートドライバの出力が表示装置の電源印加後に所定時間の間ディセイブルされるようにするタイミングコントローラと、を含むことを特徴とする表示装置。
【請求項２０】
前記タイミングコントローラは、
外部から入力される同期信号に基づいてソースドライバ及びゲートドライバをそれぞれ制御するためのソースドライバ制御信号及びゲートドライバ制御信号を生成するタイミング発生器と、
前記同期信号に基づいてフレームカウンタを動作させるフレームカウンタ部と、
前記フレームカウンタの出力に基づいて前記ゲートドライバ制御信号を制御して、液晶表示装置の電源印加後に所定時間の間前記ゲートドライバの出力をディセイブルさせる初期動作制御部と、を含むことを特徴とする請求項１９記載の表示装置。
【請求項２１】
前記所定の時間は、約２フレームであることを特徴とする請求項２０記載の表示装置。
【請求項２２】
前記所定の時間は、ユーザによって設定可能であることを特徴とする請求項２０記載の表示装置。
【請求項２３】
前記外部から入力される同期信号は、垂直同期信号、水平同期信号、データイネイブル信号、及び／又はマスタクロック信号を含むことを特徴とする請求項２０記載の表示装置。
【請求項２４】
前記フレームカウンタ部は、前記外部から入力されるデータイネイブル信号に基づいて内部垂直同期信号を生成することを特徴とする請求項２３記載の表示装置。
【請求項２５】
前記内部垂直同期信号は、前記データイネイブル信号のローレベル区間で一定時間の間入力信号がない場合に生成されることを特徴とする請求項２４記載の表示装置。
【請求項２６】
前記フレームカウンタ部は、前記生成された内部垂直同期信号に基づいて前記フレームカウンタを動作させることを特徴とする請求項２５記載の表示装置。
【請求項２７】
前記フレームカウンタは、前記入力されるデータイネイブル信号が不安定である時には動作しないことを特徴とする請求項２６記載の表示装置。
【請求項２８】
前記ソースドライバ制御信号は、水平スタートパルス、データラッチ信号、及び／又は極性制御信号を含み、前記ソースドライバ制御信号は、前記初期動作制御部の制御によって前記ソースドライバに出力されることを特徴とする請求項２０記載の表示装置。
【請求項２９】
前記ゲートドライバ制御信号は、垂直スタートパルス及び／又は垂直クロック信号を含むことを特徴とする請求項２０記載の表示装置。
【請求項３０】
前記ゲートドライバ制御信号は、前記ゲートドライバの出力を制御するゲートドライバ出力イネイブル信号を含むことを特徴とする請求項２０記載の表示装置。
【請求項３１】
前記初期動作制御部は、前記所定時間の間前記ゲートドライバ出力イネイブル信号をディセイブルさせることを特徴とする請求項３０記載の表示装置。
【請求項３２】
前記タイミングコントローラは、前記初期動作制御部から生成される出力許可信号に応答して、前記タイミング発生器によって生成されたソースドライバ制御信号及びゲートドライバ制御信号をそれぞれ出力する制御信号出力部を更に含むことを特徴とする請求項２０記載の表示装置。
【請求項３３】
前記制御信号出力部は、前記初期動作制御部から印加される出力許可信号のうちのいずれか一つ、及び前記生成されたソースドライバ制御信号とゲートドライバ制御信号のうちのいずれか一つの入力を受けて、ＡＮＤ演算を行う多数のＡＮＤゲートを含むことを特徴とする請求項３２記載の表示装置。
【請求項３４】
前記タイミングコントローラは、
外部から入力されるＲＧＢデータの入力を受けて、前記ソースドライバで要求されるフォーマットに変換させるデータ処理部と、
前記初期動作制御部の制御によって、前記データ処理部により変換されたＲＧＢデータを前記ソースドライバに出力するデータ出力部と、を更に含むことを特徴とする請求項２０記載の表示装置。
【請求項３５】
前記初期動作制御部は、前記ゲートドライバがイネイブルされ所定の第２時間が経過した後、前記データ出力部が前記変換されたＲＧＢデータを前記ソースドライバに出力するように前記データ出力部を制御することを特徴とする請求項３４記載の表示装置。
【請求項３６】
前記所定の第２時間は、約１フレームであることを特徴とする請求項３５記載の表示装置。
【請求項３７】
電源が印加されると、外部から入力されるデータイネイブル信号に基づいて内部垂直同期信号を生成する段階と、
前記内部垂直同期信号に基づいてフレームカウンタを動作させる段階と、
前記フレームカウンタのカウント値が臨界値に到達するまでゲートドライバの出力をディセイブルさせる段階と、
前記フレームカウンタのカウンタ値が所定の値を有した後からは、前記ゲートドライバの出力をイネイブルさせる段階と、を含むことを特徴とする表示装置の初期動作制御方法。
【請求項３８】
前記ゲートドライバの出力をディセイブルさせる段階は、前記ゲートドライバ及びソースドライバが正常的に動作するように制御する段階を含むことを特徴とする請求項３７記載の表示装置の初期動作制御方法。
【請求項３９】
前記所定の値は、約２フレームであることを特徴とする請求項３７記載の表示装置の初期動作制御方法。
【請求項４０】
前記ゲートドライバがイネイブルされた後で所定の第２時間が経過した後、前記ソースドライバにＲＧＢデータを出力する段階を更に含むことを特徴とする請求項３７記載の表示装置の初期動作制御方法。
【発明の詳細な説明】
【技術分野】
【０００１】
本発明は表示装置に係り、より詳細には、タイミングコントローラ、これを具備した表示装置及びこれを制御する方法に関する。
【背景技術】
【０００２】
最近、電子装置の軽量化及び薄型化の趨勢に従い、表示装置も軽量化及び薄型化が要求されている。このような要求を満足させるために、従来の陰極線管の代わりに、多様なフラットパネル表示装置の開発及び大衆化が急速に進行されている。
【０００３】
液晶表示装置（ＬＣＤ）はこのようなフラットパネル表示装置の一つであって、上部基板の配向膜と下部基板の配向膜との間に注入された誘電率異方性を有する液晶物質の液晶分子配列を変更し、変更された配列を通じて光の透過率を調節することで、画像を表示する装置である。
【０００４】
上部基板の配向膜には共通電極と色フィルター等が形成されており、下部基板の配向膜には薄膜トランジスタ（ＴＦＴ）と画素電極等が形成されている。液晶分子の配列は、電界を形成するために画素電極と共通電極に電圧を印加した後に変更される。
【０００５】
液晶表示装置は薄くて軽いので、小型化が容易で、低い駆動電圧及び消費電力を有すると共に、陰極線管に近い画質の具現が可能なので、移動通信端末機、モニター、及びノートパソコン等のような多様な装置に使用されている。特に、携帯電話に代表される移動通信端末機では大部分この液晶表示装置を表示手段として使用している。
【０００６】
図１は、このような従来の通常的な液晶表示装置の構成を示すブロック図である。
【０００７】
図１を参照すると、従来の液晶表示装置１０は、液晶表示パネル１１、ゲートドライバ１３、ソースドライバ１２、ガンマ電圧発生部１６、及びタイミングコントローラ１４を含む。
【０００８】
液晶表示パネル１１は、画素パターンが形成された基板を含む。この基板には、互いに交差される多数のゲートライン及びデータラインを含む。複数の画素は、各ゲートラインとデータラインとの交差地点に形成され、画素の画像表示動作は一種のスイッチング素子である薄膜トランジスタによって制御される。
【０００９】
ゲートドライバ１３は、液晶表示パネル１１上の各ゲートラインを１つの水平走査期間単位で順次に選択し、その選択されたゲートラインに連結されている各画素の薄膜トランジスタは、該当画素の状態を表示可能な状態に変化させる。
【００１０】
ソースドライバ１２は、画像データとガンマ電圧の入力を受けて、各データラインに対して割り当てられた画像データに該当するガンマ電圧を選択し、前記選択されたゲートラインに連結されている画素に画像情報を表示するために、前記選択されたガンマ電圧を該当データラインに印加する。前記ソースドライバ１２に提供されるガンマ電圧は、ガンマ電圧発生部１６によって発生される。
【００１１】
前記タイミングコントローラ１４は、外部のホストシステム２０から画像データＲＧＢ及び同期信号ＳＹＮＣ及びクロック信号ＣＬＫ等の入力を受けて、画像データＲＧＢのフォーマットをソースドライバ１２で要求される形態に変換させ、同期信号ＳＹＮＣ及びクロック信号ＣＬＫに基づいてソースドライバ１２及びゲートドライバ１３を制御するための制御信号を生成する。
【００１２】
従来の液晶表示装置では、電源が供給され始める時点では、しばらくの間、不安定な状態になって、歪曲された画面を表示する現象が発生する。例えば、電源が供給され始める時点は、「パワーオン」時点又は「ウェークアップ」時点であり得る。
【００１３】
不安定な状態による画面歪曲現象は、外部的な要因と内部的な要因によって発生する可能性がある。外部的要因としては、外部ソースから入力されるビデオソース自体に混入されたノイズや外部メモリから入力されるガーベッジデータ（Ｇａｒｂａｇｅ  Ｄａｔａ）等を含み、内部的要因としては、液晶表示装置内に具備された各装置が正常動作を行うために所要される初期化時間のミスマッチ等を含む。
【００１４】
たとえ、歪曲された画面を表示する時間が短くても、歪曲された画面はユーザが充分に認知することができる。従って、ユーザがこのような動作を製品自体の故障として認識する問題点が発生する。
【００１５】
従来の画面表示装置は、液晶表示装置に電源が印加される時、ユーザが歪曲された画面を認知できないように外部のプロセッサを通じて液晶表示装置内のバックライトの電源を一時的に遮断するか、液晶パネルに供給される電源及びデータの供給を外部プロセッサを利用して制御する。
【００１６】
しかし、従来の方法は、メイン制御ユニット（ＭＣＵ：Ｍａｉｎ  Ｃｏｎｔｒｏｌ  Ｕｎｉｔ）等のような外部のプロセッサが液晶表示装置内のユニットの初期動作を制御するので、別の外部制御信号が必ず必要である。又、従来の方法は外部プロセッサによって設定された時間だけ初期の表示処理を遅延させるので、液晶表示装置が入力されるビデオ信号に同期された安定化状態になったかが考慮されない問題点がある。
【００１７】
従って、従来の技術は、液晶表示装置の電源印加時点、即ち、初期駆動時に発生する画面歪曲の問題が効率的に解消されない虞がある。
【００１８】
一方、特許文献１には、液晶表示装置のパワーオン初期時、リダンダンシー防止装置に関して、液晶表示装置がパワーオンされる時、初期のリダンダンシー状態でも液晶表示装置の損傷を受けない発明が開示されている。
【特許文献１】韓国公開特許第１９９９−６０００９号
【発明の開示】
【発明が解決しようとする課題】
【００１９】
本発明はこのような問題点を解決するためのもので、本発明の第１目的は、別の外部制御信号がなくても表示装置の初期駆動時に発生する画面歪曲現象を安定的に除去することができるタイミングコントローラを提供することにある。
【００２０】
又、本発明の第２目的は、前記タイミングコントローラを具備することで、電源が印加され始める初期駆動時に歪曲現象が発生されない表示装置を提供することにある。
【００２１】
又、本発明の第３目的は、前記表示装置のタイミングコントローラを利用して、初期駆動時にドライバの動作を適切に制御できるようにするタイミングコントローラを利用した液晶表示装置の初期動作制御方法を提供することにある。
【課題を解決するための手段】
【００２２】
このような第１目的を達成するための本発明によるタイミングコントローラは、外部から入力される同期信号に基づいてソースドライバ及びゲートドライバをそれぞれ制御するためのソースドライバ制御信号及びゲートドライバ制御信号を生成するタイミング発生器、前記同期信号に基づいてフレームカウンタを動作させるフレームカウンタ部、及び前記フレームカウンタの出力に基づいて前記ゲートドライバ制御信号を制御して、液晶表示装置の電源印加後、所定の時間の間、前記ゲートドライバの出力をディセイブル（ｄｉｓａｂｌｅ）させる初期動作制御部を含む。前記所定の時間は約２フレームでも良く、前記所定の時間は、ユーザによって設定可能である。前記外部から入力される同期信号は、垂直同期信号、水平同期信号、データイネイブル信号、及び／又はマスタクロック信号を含むことができる。フレームカウンタ部は、前記外部から入力されるデータイネイブル信号を利用して内部垂直同期信号を生成する。前記内部垂直同期信号は、前記データイネイブル信号のローレベル区間に一定時間の間入力信号がない場合に生成される。前記フレームカウンタ部は、前記生成された内部垂直同期信号を利用して前記フレームカウンタを動作させる。又、前記フレームカウンタは、前記入力されるデータイネイブル信号が不安定である時には動作しない。
【００２３】
一方、前記ソースドライバ制御信号は、水平スタートパルス、データラッチ信号及び／又は極性制御信号を含み、前記ソースドライバ制御信号は前記初期動作制御部の制御によって前記ソースドライバに出力される。又、前記ゲートドライバ制御信号は、垂直スタートパルス及び／又は垂直クロック信号を含む。
【００２４】
前記ゲートドライバ制御信号は、前記ゲートドライバの出力を制御するゲートドライバ出力イネイブル信号を含む。前記初期動作制御部は、前記所定時間の間、前記ゲートドライバ出力イネイブル信号をディセイブルさせる。
【００２５】
一方、前記タイミングコントローラは、前記初期動作制御部から提供される出力許可信号に応答して、前記タイミング発生器によって生成されたソースドライバ制御信号及びゲートドライバ制御信号をそれぞれ出力する制御信号出力部を更に含むことができる。この際、前記制御信号出力部は、前記初期動作制御部から印加される出力許可信号のうちのいずれか一つ、及び前記生成されたソースドライバ制御信号とゲートドライバ制御信号のうちのいずれか一つの入力を受けて、ＡＮＤ演算を行う多数のＡＮＤゲートで構成される。
【００２６】
又、前記タイミングコントローラは、外部から入力されるＲＧＢデータの入力を受け、前記ソースドライバで要求されるフォーマットに変換させるデータ処理部、及び前記初期動作制御部の制御によって、前記データ処理部により変換されたＲＧＢデータを前記ソースドライバに出力するデータ出力部を更に含むことができる。
【００２７】
前記初期動作制御部は、前記ゲートドライバがイネイブル（ｅｎａｂｌｅ）されて所定の第２時間が経過した後、前記データ出力部が前記変換されたＲＧＢデータを前記ソースドライバに出力するように前記データ出力部を制御する。前記所定の第２時間は、約１フレームである。
【００２８】
前記データ出力部は、入力端に、前記データ処理部によって変換されたＲＧＢデータと、ブラックデータの表示のためのローレベルデータとの入力を受け、選択端に前記初期動作制御部から印加される選択信号の入力を受けるマルチプレクサで構成される。
【００２９】
一方、本発明の第２目的を達成するための表示装置は、多数のゲートライン、多数のデータライン、及び前記ゲートラインとデータラインによって定義される領域に形成された多数の画素を具備する表示パネル、前記多数のゲートラインを順次に走査するための駆動信号を印加するゲートドライバ、前記多数のデータラインに画像表示のための信号を印加するソースドライバ、及び外部から入力される同期信号に基づいてフレームカウンタを動作させると共に、前記ゲートドライバを制御して、前記ゲートドライバの出力が表示装置の電源印加後に所定時間の間ディセイブルされるようにするタイミングコントローラを含む。この際、前記タイミングコントローラは、外部から入力される同期信号に基づいてソースドライバ及びゲートドライバをそれぞれ制御するためのソースドライバ制御信号及びゲートドライバ制御信号を生成するタイミング発生器、前記同期信号に基づいてフレームカウンタを動作させるフレームカウンタ部、前記フレームカウンタの出力に基づいて前記ゲートドライバ制御信号を制御して、液晶表示装置の電源印加後に所定時間の間前記ゲートドライバの出力をディセイブルさせる初期動作制御部を含む。前記所定の時間は約２フレームでも良く、前記所定の時間は、ユーザによって設定可能である。前記外部から入力される同期信号は、垂直同期信号、水平同期信号、データイネイブル信号、及び／又はマスタクロック信号を含むことができる。フレームカウンタ部は、前記外部から入力されるデータイネイブル信号を利用して内部垂直同期信号を生成する。前記内部垂直同期信号は、前記データイネイブル信号のローレベル区間に一定時間の間入力信号がない場合に生成される。前記フレームカウンタ部は、前記生成された内部垂直同期信号を利用して前記フレームカウンタを動作させる。又、前記フレームカウンタは、前記入力されるデータイネイブル信号が不安定である時には動作しない。
【００３０】
一方、前記ソースドライバ制御信号は、水平スタートパルス、データラッチ信号、及び／又は極性制御信号を含み、前記ソースドライバ制御信号は、前記初期動作制御部の制御によって前記ソースドライバに出力される。又、前記ゲートドライバ制御信号は、垂直スタートパルス及び／又は垂直クロック信号を含む。
【００３１】
前記ゲートドライバ制御信号は、前記ゲートドライバの出力を制御するゲートドライバ出力イネイブル信号を含む。前記初期動作制御部は、前記所定時間の間前記ゲートドライバ出力イネイブル信号をディセイブルさせる。
【００３２】
一方、前記タイミングコントローラは、前記初期動作制御部から提供される出力許可信号に応答して、前記タイミング発生器によって生成されたソースドライバ制御信号及びゲートドライバ制御信号をそれぞれ出力する制御信号出力部を更に含むことができる。この際、前記制御信号出力部は、前記初期動作制御部から印加される出力許可信号のうちのいずれか一つ、及び前記生成されたソースドライバ制御信号とゲートドライバ制御信号のうちのいずれか一つの入力を受けて、ＡＮＤ演算を行う多数のＡＮＤゲートで構成される。
【００３３】
又、前記タイミングコントローラは、外部から入力されるＲＧＢデータの入力を受けて、前記ソースドライバで要求されるフォーマットに変換させるデータ処理部、及び前記初期動作制御部の制御によって、前記データ処理部により変換されたＲＧＢデータを前記ソースドライバに出力するデータ出力部を更に含むことができる。
【００３４】
前記初期動作制御部は、前記ゲートドライバがイネイブルされ所定の第２時間が経過した後、前記データ出力部が前記変換されたＲＧＢデータを前記ソースドライバに出力するように前記データ出力部を制御する。前記所定の第２時間は、約１フレームである。
【００３５】
前記データ出力部は、入力端に、前記データ処理部によって変換されたＲＧＢデータと、ブラックデータの表示のためのローレベルデータとの入力を受け、選択端に前記初期動作制御部から印加される選択信号の入力を受けるマルチプレクサで構成される。
【００３６】
一方、本発明の第３目的を達成するための表示装置のタイミングコントローラを利用した初期動作制御方法は、電源が印加されると、外部から入力されるデータイネイブル信号に基づいて内部垂直同期信号を生成する段階、前記内部垂直同期信号に基づいてフレームカウンタを動作させる段階、前記フレームカウンタのカウント値が臨界値に到達するまでゲートドライバの出力をディセイブルさせる段階、及び前記フレームカウンタのカウンタ値が所定の値を有した後からは、前記ゲートドライバの出力をイネイブルさせる段階を含む。前記ゲートドライバの出力をディセイブルさせる段階は、前記ゲートドライバ及びソースドライバが正常的に動作するように制御する段階を含むことができる。
【００３７】
前記所定の値は約２フレームでも良く、前記ゲートドライバがイネイブルされた後で所定の第２時間が経過した後、前記ソースドライバにＲＧＢデータを出力する段階を更に含むことができる。
【発明を実施するための最良の形態】
【００３８】
以下、添付図面を参照して、本発明の好ましい実施例を詳細に説明する。
【００３９】
図２は、本発明の好ましい実施例によるタイミングコントローラを具備する液晶表示装置の構成を示すブロック図である。
【００４０】
図２を参照すると、液晶表示装置（ＬＣＤ）１０００は、タイミングコントローラ１００、ソースドライバ２００、ゲートドライバ３００、及びＬＣＤパネル４００を含む。
【００４１】
タイミングコントローラ１００は、タイミング発生器１１０、制御信号出力部１２０、データ処理部１３０、データ出力部１４０、フレームカウンタ１５０、及び初期動作制御部１６０を含む。タイミングコントローラ１００は、液晶表示装置１０００のソースドライバ２００及びゲートドライバ３００と連動される。
【００４２】
タイミング発生器１１０は、外部のグラフィックソースから入力される同期信号ＳＹＮＣ、即ち、垂直同期信号ＶＳＹＮＣ、水平同期信号ＨＳＹＮＣ、データイネイブル信号ＤＥ、及びマスタクロック信号ＭＣＫ等に基づいて、ソースドライバ２００及びゲートドライバ３００を制御するための多数の制御信号を生成する。
【００４３】
前記ソースドライバ２００を制御するためのソースドライバ制御信号は、水平スタートパルスＳＴＨ、データラッチ信号ＴＰ、及び極性制御信号ＰＯＬを含むことができる。又、前記ゲートドライバ３００を制御するためのゲートドライバ制御信号は、垂直スタートパルスＳＴＶ、垂直クロック信号ＣＫＶ、ゲートドライバ出力イネイブル信号ＯＥを含むことができる。
【００４４】
制御信号出力部１２０は、前記初期動作制御部１６０から発生される出力許可信号に応答して、前記タイミング発生器１１０によって生成された制御信号、即ち、ソースドライバ制御信号及びゲートドライバ制御信号をソースドライバ２００及びゲートドライバ３００にそれぞれ出力する。前記制御信号出力部１２０は、タイミング発生器１１０から生成された各制御信号及び初期動作制御部１６０から発生される出力許可信号の入力を受け、ＡＮＤ演算を行った後、結果値をそれぞれ出力する多数のＡＮＤゲート１２１を含むことができる。
【００４５】
制御信号出力部１２０はＡＮＤゲートを含むこともできるが、本発明の実施例はＡＮＤゲートの構成に限定されない。例えば、ＡＮＤゲートの等価回路も本発明の範囲に属すると理解されなければならない。
【００４６】
前記出力許可信号は、ゲートドライバ出力イネイブル信号ＯＥの出力を制御するＯＥ出力許可信号（ＯＥ_ＯＮ）、及びそのゲートドライバ出力イネイブル信号ＯＥを除いた制御信号の出力を制御する制御信号の出力許可信号（ＳＴＶ_ＯＮ）を含むことができる。
【００４７】
前記ゲートドライバ出力イネイブル信号ＯＥは、ゲートドライバ３００の出力をマスキング（Ｍａｓｋｉｎｇ）するための信号である。即ち、このゲートドライバ出力イネイブル信号ＯＥが論理「ハイ」である時には、ゲートドライバ３００の出力はマスキングされ、ゲートドライバ出力イネイブル信号ＯＥが論理「ロー」である時には、ゲートドライバ３００の出力は正常的に出力される。ゲートドライバ出力イネイブル信号ＯＥに対する詳細な内容は後述する。
【００４８】
データ処理部１３０は、外部のグラフィックソースから入力されるＲＧＢデータの入力を受けて、ソースドライバ２００に適合したフォーマットにレベルシフトされた値、即ち、ＲＧＢデータのレベルを変換した値をデータ出力部１４０に出力する。
【００４９】
データ出力部１４０は、初期動作制御部１６０から出力されるデータ出力許可信号（ＤＡＴＡ_ＯＮ）によって、データ処理部１３０から出力されるＲＧＢデータ又は液晶表示パネル４００にブラックデータを表示するためのローレベル信号のうちのいずれか一つを選択してソースドライバ２００に出力する。
【００５０】
前記データ出力部１４０はマルチプレクサ１４１を含むことができ、マルチプレクサ１４１は、データ出力部１４０の入力端を通じてデータ処理部１３０から出力されるＲＧＢデータと、ブラックデータを表示するためのローレベル信号との入力を受け、データ出力部１４０の選択端を通じて初期動作制御部１６０から出力されるデータ出力許可信号（Ｄａｔａ_ＯＮ）の印加を受ける。フレームカウンタ部１５０は、外部のグラフィックソースから入力される同期信号ＳＹＮＣの入力を受けて、フレームカウンティング演算を行うフレームカウンタを動作させる。即ち、入力される同期信号ＳＹＮＣのうち、データの有効性を示すデータイネイブル信号ＤＥに基づいて、フレームカウンタ部１５は内部垂直同期信号ＩＶＳを生成させる。その後、内部垂直同期信号ＩＶＳの上昇エッジ又は下降エッジを利用してフレームカウンタ部はフレームカウンティング演算を行う。フレームカウンティング演算を行うのに必要なラインカウンタは、タイミング発生器１１０によって生成される。
【００５１】
初期動作制御部１６０は、前記フレームカウンタ部１５０によって制御されるフレームカウンタに基づいて、電源オン（Ｏｎ）時の液晶表示装置１０００の初期動作を制御する。前記初期動作制御部１６０は、フレーム情報によって初期の約２フレームの時間、即ち、約２フレーム＋αの時間まではゲートドライバ３００の出力をディセイブルさせる。前記α値は、ユーザによって設定が可能な値である。ゲートドライバ３００の出力をディセイブルさせるために、初期動作制御部１６０は、ゲートドライバ３００の出力にマスキング演算を行うために、ゲートドライバ出力イネイブル信号ＯＥの出力を制御することができるＯＥ出力許可信号（ＯＥ_ＯＮ）を利用する。又、初期動作制御部１６０は、ブラックデータが出力されるように制御し、前記初期の２フレーム＋αの時間から約１フレームの時間が更に経過した後からは、ＲＧＢデータが出力されるように制御する。
【００５２】
初期動作制御部１６０は、データ出力部１４０に印加されるデータ出力許可信号（ＤＡＴＡ_ＯＮ）を利用する。即ち、初期の２フレーム＋αの時間から約１フレームの時間が経過する前には、初期動作制御部１６０は、データ出力許可信号（ＤＡＴＡ_ＯＮ）をローレベルで出力し、データ出力部１４０がローレベル信号を選択してソースドライバ２００にローレベルの信号を出力する。
【００５３】
初期の２フレーム＋αの時間から約１フレームの時間が経過した後には、初期動作制御部１６０は、データ出力許可信号（ＤＡＴＡ_ＯＮ）をハイレベルで出力し、データ出力部１４０がデータ処理部１３０から伝達されるＲＧＢデータを選択してソースドライバ２００にＲＧＢデータを出力する。
【００５４】
従って、液晶表示装置１０００のゲートドライバ２００は、電源が印加された後から２フレーム＋αの時間が経過した後には、正常的なデータが液晶表示パネル４００に出力され、その後１フレームが経過した後からは、液晶表示パネル４００は正常的な画面を出力する。従って、初期駆動時に発生する画面の歪曲表示現象は除去される。
【００５５】
タイミング発生器１１０から出力されるソースドライバ制御信号及びゲートドライバ出力イネイブル信号ＯＥを除いたゲートドライバ制御信号は、前記初期駆動制御部１６０の制御によって電源印加初期から正常的に出力される。タイミング発生器１１０は、ＬＣＤパネル４００が画面を表示しない間にも、ソースドライバ２００とゲートドライバ３００が正常的な動作を行うようにする。これは、タイミング発生器１１０がソースドライバ２００とゲートドライバ３００がウォームアップするための時間を得るようにするためである。以上の説明を通じて、外部の別の信号がなくても初期駆動時に発生する画面歪曲現象を除去することができるタイミングコントローラ１００の構成について説明した。以下では、タイミングコントローラ１００の構成に基づいて液晶表示装置１０００の初期動作を制御する方法について説明する。
【００５６】
図３は、図２に図示されたタイミングコントローラ１００を利用した液晶表示装置１０００の初期動作制御方法の流れを示す順序図である。
【００５７】
図３を参照すると、まず、電源がオンされると（段階Ｓ１１）、タイミングコントローラ１００は、フレームカウンタを動作させてフレームをカウンティングを開始する（段階Ｓ１２）。
【００５８】
タイミングコントローラ１００は、外部から入力される同期信号によって生成されたソースドライバ制御信号を正常出力し、ゲートドライバ出力イネイブル信号ＯＥはディセイブルさせ、前記ゲートドライバ出力イネイブル信号ＯＥを除いた他のゲートドライバ制御信号を正常的に出力する。同時に、タイミングコントローラ１００は、液晶表示装置に強制的にブラックデータが表示されるようにソースドライバにローレベル信号を出力する（段階Ｓ１３）。
【００５９】
従って、前記状態ではソースドライバ２００及びゲートドライバ３００がソースドライバ制御信号及びゲートドライバ制御信号によって正常的に動作するが、ゲートドライバ出力イネイブル信号ＯＥがディセイブルされているので、ゲートドライバ３００の出力はマスキングされる。ゲートドライバ３００の出力がマスキングされた間、ソースドライバ２００とゲートドライバ３００はウォームアップを行うことができる。
【００６０】
タイミングコントローラ１００はフレームカウンタ値を参考して、フレームカウンタ値が「２フレーム＋α」と同じになったかどうかを判断する（段階Ｓ１４）。即ち、初期のフレームカウンタの動作時点から「２フレーム＋α」の時間が経過したかどうかを判断する。この際、「α」値はユーザによって設定されることができる値として必須的な値ではないので、「α」値は０になることもできる。
【００６１】
前記段階（段階Ｓ１４）において、仮にフレームカウンタ値が「２フレーム＋α」と同じになれば、タイミングコントローラ１００はゲートドライバ出力イネイブル信号ＯＥをイネイブルさせる。従って、ソースドライバ制御信号及びゲートドライバ制御信号がいずれも正常的に出力されるので、ソースドライバ２００及びゲートドライバ３００は正常的に動作する。反面、タイミングコントローラ１００は、ソースドライバ２００に無効なローレベル信号を継続出力して、液晶表示装置１０００にブラックデータが継続表示されるようにする（段階Ｓ１５）。
【００６２】
タイミングコントローラ１００は、フレームカウンタ値が「２フレーム＋α＋１フレーム」と同じになったかどうかを判断する（段階Ｓ１６）。即ち、初期の時点から「２フレーム＋α」の時間に到達した後、１フレームの時間が更に経過したかどうかを判断する。
【００６３】
仮に、フレームカウンタ値が「２フレーム＋α＋１フレーム」になると、タイミングコントローラ１００は、ソースドライバに有効なデータを出力する。従って、液晶表示パネル４００には正常的な画面が出力される（段階Ｓ１７）。本発明の実施例における正常的な画面は相対的に歪曲された程度が少ない画像を言う。
【００６４】
図４は、図２に図示されたタイミングコントローラ１００を利用した液晶表示装置１０００の初期動作制御方法による関連信号の変化を示すタイミング図である。
【００６５】
図４を参照すると、電源ＶＤＤが印加されると、データやクロックのような外部信号が正常的に入力される。その後、内部垂直同期信号ＩＶＳが生成されるが、内部垂直同期信号ＩＶＳが生成された事実は、垂直スタートパルスＳＴＶを通じてわかる。前記内部垂直同期信号ＩＶＳはフレームカウンタを動作させるための信号であって、タイミングコントローラ１００で内部的に生成される信号であるが、これは図５乃至図７を通じて説明する。
【００６６】
ゲートドライバ出力イネイブル信号ＯＥは初期にはディセイブルされ、電源印加後、初期の２フレーム程度が経過された後にイネイブルされる。
【００６７】
しかし、前記ゲートドライバ出力イネイブル信号ＯＥがディセイブルされている期間にも、ゲートドライバ出力イネイブル信号ＯＥを除いた他の制御信号、即ち、ソースドライバ制御信号及びゲートドライバ制御信号は正常に出力される。従って、ソースドライバ２００とゲートドライバ３００は、初期のウォームアップ動作を行うことができる時間を得ることができる。
【００６８】
又、前記２フレーム程度の時間が経過した後、１フレーム程度の時間が更に経過すると、ソースドライバ２００に有効なデータが伝達されるので、この時からは正常的な画面が出力されることができる。電源印加初期から２フレーム程度の時間が経過した後、１フレーム程度の時間が更に経過する前までは、画面にブラックデータが出力される。従って、初期駆動時に発生する画面歪曲現象が減少されることができる。
【００６９】
図５は、内部垂直同期信号ＩＶＳの生成過程を示すタイミング図である。
【００７０】
図５を参照すると、内部垂直同期信号ＩＶＳは、外部から入力されるデータイネイブル信号ＤＥを通じて生成される。データイネイブル信号ＤＥの入力が約２水平周期に該当する時間の間になければ、フレームカウンタ部１５０は、データイネイブル信号ＤＥがローレベルである区間で動作するラインカウンタを利用して、内部垂直同期信号ＩＶＳを生成する。
【００７１】
図６は、図５に図示された内部垂直同期信号ＩＶＳによるフレームカウンタの動作を示すタイミング図である。
【００７２】
図６を参照すると、データイネイブル信号ＤＥによってラインカウンタが動作し、所定時間の間入力信号がない時、内部垂直同期信号ＩＶＳが生成される。前記所定時間は、約２水平周期に該当する時間であり得る。
【００７３】
前記生成された内部垂直同期信号ＩＶＳの下降エッジでフレームカウンタが動作する。フレームカウンタが動作し始めると、ゲートドライバ出力イネイブル信号ＯＥを除いた制御信号の出力を制御する制御信号出力許可信号（ＳＴＶ_ＯＮ）が出力される。本発明の他の実施例において、前記フレームカウンタは、内部垂直同期信号ＩＶＳの上昇エッジで動作するように構成されることもできる。
【００７４】
前記外部から入力されるデータイネイブル信号ＤＥはノイズを含む可能性がある。仮に、データイネイブル信号ＤＥにノイズが含まれていれば、フレームカウンタは動作しない。
【００７５】
図７は、外部から入力されるデータイネイブル信号ＤＥが不完全である場合、図５に図示された内部垂直同期信号ＩＶＳによってフレームカウンタが動作する状態を示すタイミング図である。
【００７６】
図７を参照すると、ラインカウンタによって計算されたデータイネイブル信号ＤＥの一番目のカウンティング値は、図６で図示された「Ｎ」個ではなく、「Ｍ」個である。即ち、外部から入力されたデータイネイブル信号ＤＥが不安定な状態である。
【００７７】
このような場合、フレームカウンタは、内部垂直同期信号ＩＶＳが下降エッジになっても動作しない。即ち、フレームカウンタは、ラインカウンタ値を参照して、外部から入力される不完全なデータに対してはカウントしない。
【００７８】
従って、ラインカウンタは初期に外部から入力される不完全なデータの入力を認知して、フレームカウンタの動作を適応的に遅らせることができる。
【００７９】
本発明の一実施例では、特定な論理ゲートと論理演算とに関連して説明したが、いかなる適切な論理ゲート及び／又は論理演算に代替されて説明することができるのは自明である。又、前記制御信号出力部１２０、データ出力部１４０、又はその他の回路におけるそれぞれの内部論理素子の多様な修正及び変更が本発明の技術的思想に含まれることは自明である。
【産業上の利用可能性】
【００８０】
以上で説明したように、本発明によると、液晶表示装置の初期駆動時に一定のフレームが経過した後、ゲートドライバの出力がイネイブルされ、その後に画面の正常的な表示動作が行われるので、別の外部制御信号がなくても、表示装置の初期駆動時に発生する画面歪曲現象を安定的に除去することができる。
【００８１】
以上、本発明の実施例によって本発明を詳細に説明したが、本発明はこれに限定されず、本発明が属する技術分野において通常の知識を有するものであれば本発明の思想と精神から離れることなく、本発明を修正または変更できる。
【図面の簡単な説明】
【００８２】
【図１】従来の通常的な液晶表示装置の構成を示すブロック図である。
【図２】本発明の好ましい実施例によるタイミングコントローラを具備する液晶表示装置の構成を示すブロック図である。
【図３】図２に図示されたタイミングコントローラを利用した液晶表示装置の初期動作制御方法の流れを示すフローチャートである。
【図４】図２に図示されたタイミングコントローラを利用した液晶表示装置の初期動作制御方法による関連信号の変化を示すタイミング図である。
【図５】内部垂直同期信号の生成過程を示すタイミング図である。
【図６】図５に図示された内部垂直同期信号によってフレームカウンタが動作する状態を示すタイミング図である。
【図７】図５に図示された内部垂直同期信号によってフレームカウンタが動作する状態を示すタイミング図である。
【符号の説明】
【００８３】
１００    表示装置
１１０    タイミング発生器
１２０    制御信号出力部
１３０    データ処理部
１４０    データ出力部
１５０    フレームカウンタ部
１６０    初期動作制御部
２００    ソースドライバ
３００    ゲートドライバ
４００    液晶表示パネル
【図１】
2007011334.tif 000003
【図２】
2007011334.tif 000004
【図３】
2007011334.tif 000005
【図４】
2007011334.tif 000006
【図５】
2007011334.tif 000007
【図６】
2007011334.tif 000008
【図７】
2007011334.tif 000009